(57)【要約】【課題】三方弁としての機能とストレーナとしての機能を併せ持つストレーナ内蔵補修弁を提供する。【解決手段】弁箱３０の内部に回転弁体３５を弁棒４１の軸心回りに回転自在に配置し、弁箱３０に弁棒４１の軸心回りにおいて流入開口部５１と流出開口部５２と補助排出開口部５３を設け、回転弁体３５に軸心回りに回転して各開口部を閉塞可能な閉栓部３５ａを設けるとともに、各開口部に対応する複数の開口５５、５６、５７を有する内部流路３７を形成し、回転弁体３５の全開口が弁箱３０の全開口部に対応する状態において弁箱３０の流入開口部５１に対応する回転弁体３５の開口５５にストレーナ５８を着脱自在に設けた。【選択図】　　図１
2004092708.tif 000002
【特許請求の範囲】
【請求項１】
弁箱の内部に回転弁体を弁棒の軸心回りに回転自在に配置し、弁箱に弁棒の軸心回りにおいて流入開口部と流出開口部と補助排出開口部を設け、回転弁体に軸心回りに回転して各開口部を閉塞可能な閉栓部を設けるとともに、各開口部に対応する複数の開口を有する内部流路を形成し、弁体の全開口が弁箱の全開口部に対応する状態において弁箱の流入開口部に対応する回転弁体の開口にストレーナを着脱自在に設けたことを特徴とするストレーナ内蔵補修弁。
【請求項２】
閉栓部が弁箱の流入開口部に対応する状態において回転弁体のストレーナを設けた開口に対向するメンテナンス開口部を弁箱に設けたことを特徴とする請求項１に記載のストレーナ内蔵補修弁。
【発明の詳細な説明】
【０００１】
【発明の属する技術分野】
本発明はストレーナ内蔵補修弁に関し、農水管路等において使用するものに係る技術である。
【０００２】
【従来の技術】
従来、ストレーナ内蔵補修弁としては例えば図１０に示すものがある。図１０において弁箱１の内部には上流側流路２と下流側流路３とを仕切る隔壁４を設けており、隔壁４に上流側流路２と下流側流路３を連通するポート５を形成している。弁箱１の上流側流路２にはポート５を開閉する弁体６を配置しており、弁体６に接続した弁棒７を弁箱１に回転自在にかつ軸心方向に出退自在に螺合保持し、弁棒７の端部にハンドル８を設けている。
【０００３】
弁箱１の下流側流路３にはストレーナ９を配置しており、ストレーナ９は一端がポート５に嵌合するとともに、他端が弁箱１の開口部１０に嵌合している。弁箱１には開口部１０を覆って配置する蓋体１１をボルト１２で固定している。
【０００４】
この構成においては、ハンドル８の操作によって弁棒７を回転駆動し、弁棒７を回転とともに軸心方向へ出退させることで弁体６を開閉操作する。ポート５の開放により上流側流路２から流入する流体はポート５を通ってストレーナ９に流入し、ストレーナ９を通過して下流側流路３へ流れる。このとき、流体中のごみ等の遺物をストレーナ９が捕集する。ストレーナ９で捕集したごみを除去する場合には、ボルト１２を外して蓋体１１を弁箱１から取り除き、開口部１０からストレーナ９を弁箱１の外部へ取り出す。
【０００５】
一方、農水管路等において使用する空気弁の補修弁としては、図６〜図９に示すものがある。図６〜図９において、空気弁１９は補修弁２０を介して管路２１に接続している。空気弁１９は弁箱２２の底部に補修弁２０に連通する下部開口２３を有し、上部に排気口２４を形成した蓋部２５を設け、排気口２４を覆ってカバー２６を設けている。弁箱２２の内部にはガイド２７を設けており、ガイド２７の内部に遊動弁体２８およびフロート２９を配置している。遊動弁体２８はその昇降によって排気口２４を開閉し、フロート２９はその浮力によって遊動弁体２８を上方へ押し圧するとともに、小排気口２４ａを閉塞する。
【０００６】
補修弁２０は三方弁であり、弁箱３０の上部に空気弁１９に連通する上部開口３１を有し、底部に管路２１に連通する下部開口３２を有し、側部に補助排出口３３を有しており、補助排出口３３にバルブ３４を接続している。弁箱３０の内部にはボール状の回転弁体３５を配置し、回転弁体３５に摺接する弁箱シート３６を上部開口３１、下部開口３２、補助排出口３３の開口周縁に配置しており、回転弁体３５の内部流路３７は第１開口３８、第２開口３９、第３開口４０を有している。回転弁体３５には弁棒４１を介して操作機構（図示省略）を接続しており、回転弁体３５は弁棒４１の軸心回りに回転する。
【０００７】
上記した構成において、補修弁２０は弁体操作機構を操作して弁棒４１を回転操作することにより回転弁体３５が弁棒４１の軸心回りに回転する。図６に示すように、初期時には回転弁体３５の第１開口３８が下部開口３２に対応し、第２開口３９が上部開口３１に対応し、第３開口４０が補助排出口３３に対応する。この状態で、管路２１から流入する管路内の空気は回転弁体３５の内部流路３７を通って空気弁１９に流入し、空気弁１９の排気口２４を通って外部へ排気する。このとき、バルブ３４を開放することにより大量排気が可能である。排気が終了し、空気弁１９が充水し始めるとフロート２９が遊動弁体２８を押し上げて遊動弁体２８の小排気口２８ａを閉鎖するとともに、遊動弁体２８が排気口２４を閉鎖する。
【０００８】
図７に示すように、空気弁１９の弁箱２２の内部に空気が滞留すると内部の圧力により遊動弁体２８が排気口２４を閉鎖する状態で、水面の低下にともなってフロート２９が降下して遊動弁体２８の小排気口２８ａを開放し、小排気口２８ａを通して排気するにともなって水面が上昇し、フロート２９が遊動弁体２８の小排気口２８ａを閉鎖する。
【０００９】
図８に示すように、管路２１に滞留するごみを排出する時や管路２１の流水を散水、消火用水等として利用する時は、補修弁２０の回転弁体３５を回転操作し、第１開口３８が弁箱３０の内壁面に対応し、第２開口３９が補助排出口３３に対応し、第３開口４０が下部開口３２に対応し、閉栓部３５ａが上部開口３１に対応する状態となし、バルブ３４を開放する。
【００１０】
図９に示すように、空気弁１９の補修時には、補修弁２０の回転弁体３５を回転操作し、第１開口３８が補助排出口３３に対応し、第２開口３９が弁箱３０の内壁面に対応し、第３開口４０が上部開口３１に対応し、閉栓部３５ａが下部開口３２に対応する状態となす。
【００１１】
【発明が解決しようとする課題】
上記したように、図６〜図９に示す三方弁方式の補修弁２０では種々の機能を有するがストレーナの機能はなく、図１０に示すストレーナ内蔵補修弁ではストレーナの機能を有するが弁としては開閉機能のみである。しかし、図６〜図９に示す空気弁１９と三方弁方式の補修弁２０とに、さらに図１０に示すストレーナ内蔵補修弁を組み合わせると嵩高くなり、かつその操作が複雑になる。
【００１２】
本発明は上記した課題を解決するものであり、三方弁としての機能とストレーナとしての機能を併せ持つストレーナ内蔵補修弁を提供することを目的とする。
【００１３】
【課題を解決するための手段】
上記課題を解決するために、請求項１に係る本発明のストレーナ内蔵補修弁は、弁箱の内部に回転弁体を弁棒の軸心回りに回転自在に配置し、弁箱に弁棒の軸心回りにおいて流入開口部と流出開口部と補助排出開口部を設け、回転弁体に軸心回りに回転して各開口部を閉塞可能な閉栓部を設けるとともに、各開口部に対応する複数の開口を有する内部流路を形成し、弁体の全開口が弁箱の全開口部に対応する状態において弁箱の流入開口部に対応する回転弁体の開口にストレーナを着脱自在に設けたものである。
【００１４】
上記した構成により、ストレーナ内蔵補修弁の使用時には、例えば流出開口部に空気弁を接続し、補助排出開口部に蓋もしくはバルブを装着し、流入開口部に管路を接続する。弁体の全開口が弁箱の全開口部に対応する状態において、管路から流入開口部を通して弁箱内に流入する流体はストレーナを通過し、流出口開口部を通って空気弁に流入し、バルブの開放により補助排出開口部を通して流体が外部へ流出する。このとき、弁箱の流入開口部に対応する回転弁体の開口に設けたストレーナが流入する流体中の異物を捕集する。
【００１５】
閉栓部が流出口開口部に対向する状態ではバルブを開閉することで補助排出開口部から流体を取り出す。閉栓部が流入口開口部に対向する状態でストレーナを設けた開口が補助排出開口部に対応し、補助排出開口部のバルブを取り外し、あるいは蓋を設けている場合には蓋を取り外してストレーナを取り出して異物を除去する。
【００１６】
請求項２に係る本発明のストレーナ内蔵補修弁は、閉栓部が弁箱の流入開口部に対応する状態において回転弁体のストレーナを設けた開口に対向するメンテナンス開口部を弁箱に設けたものである。
【００１７】
上記した構成により、ストレーナ内蔵補修弁の使用時には、例えば流出開口部に空気弁を接続し、補助排出開口部にバルブを装着し、流入開口部に管路を接続し、メンテナンス開口部に蓋を装着する。弁体の全開口が弁箱の全開口部に対応する状態において、管路から流入開口部を通して弁箱内に流入する流体はストレーナを通過し、流出口開口部を通って空気弁に流入する。このとき、弁箱の流入開口部に対応する回転弁体の開口に設けたストレーナが流入する流体中の異物を捕集する。
【００１８】
閉栓部が流出口開口部に対向する状態ではバルブを開閉することで補助排出開口部から流体を取り出す。閉栓部が流入口開口部に対向する状態でストレーナを設けた開口がメンテナンス開口部に対応し、メンテナンス開口部の蓋を取り外し、ストレーナを取り出して異物を除去する。
【００１９】
【発明の実施の形態】
以下、本発明の実施の形態を図面に基づいて説明する。本実施の形態における捕集弁の基本構造は先に図６〜図８において説明したものと同様であり、同様の作用を行う部材については同一番号を付して説明を省略する。
【００２０】
図１〜図２において、補修弁２０は、弁箱３０の内部に回転弁体３５を弁棒４１の軸心回りに回転自在に配置しており、弁箱３０に弁棒４１の軸心回りにおいて流入開口部５１と流出開口部５２と補助排出開口部５３を設けている。流入開口部５１と流出開口部５２は対向し、流入開口部５１と流出開口部５２に対して直角に補助排出開口部５３を設けており、流出開口部５２に空気弁１９を接続し、補助排出開口部５３に蓋５４もしくはバルブをボルト等で着脱自在に装着し、流入開口部５１に管路２１を接続している。
【００２１】
回転弁体３５は第１開口５５が流入開口部５１に対応し、第２開口５６が流出開口部５２に対応し、第３開口５７が補助排出開口部５３に対応する状態において回転弁体３５の全開口が弁箱３０の全開口部に対応し、弁箱の流入開口部５１に対応する回転弁体３５の第１開口５５にストレーナ５８をボルト５９で着脱自在に設けている。
【００２２】
上記した構成により、図１に示すように、回転弁体３５の全開口が弁箱３０の全開口部に対応する状態で、管路２１から流入開口部５１を通して弁箱３０に流入する流体はストレーナ５８を通過し、流出口開口部５２を通って空気弁１９に流入する。補助排出開口部５３にバルブを設ける場合にはバルブの開放により補助排出開口部５３を通して流体が外部へ流出する。このとき、弁箱３０の流入開口部５１に対応する回転弁体３５の第１開口５５に設けたストレーナ５８が流入する流体中の異物を捕集する。補助排出開口部５３にバルブを設ける場合には閉栓部３５ａが流出口開口部５２に対向する状態でバルブを開閉することで補助排出開口部５３から流体を取り出す。
【００２３】
図２に示すように、閉栓部３５ａが流入口開口部５１に対向する状態でストレーナ５８を設けた第１開口５５が補助排出開口部５３に対応する。この状態で補助排出開口部５３の蓋５４を取り外し、あるいはバルブを装着している場合にはバルブを取り外してストレーナ５８を取り出して異物を除去する。
【００２４】
図３〜図５は本発明の他の実施の形態を示すものであり、弁箱３０には補助排出開口部５３に対向してメンテナンス開口部６０を設けており、補助排出開口部５３にバルブ６１を接続し、メンテナンス開口部６０に蓋６２をボルト等で着脱自在に設けている。
【００２５】
この構成においては、図３に示すように、第１開口５５が流入開口部５１に対応し、第２開口５６が流出開口部５２に対応し、第３開口５７がメンテナンス開口部６０に対応し、閉栓部３５ａが補助排出開口部５３に対応する。この状態で、管路２１から流入開口部５１を通して弁箱３０に流入する流体はストレーナ５８を通過し、流出口開口部５２を通って空気弁１９に流入する。このとき、弁箱３０の流入開口部５１に対応する回転弁体３５の第１開口５５に設けたストレーナ５８が流入する流体中の異物を捕集する。
【００２６】
図４に示すように、閉栓部３５ａが弁箱３０の流出口開口部５２に対向する状態ではバルブ６１を開閉することで補助排出開口部５３から流体を取り出す。
図５に示すように、閉栓部３５ａが弁箱３０の流入開口部５１に対応する状態においてメンテナンス開口部６０の蓋６２を取り外し、ストレーナ５８を取り出して異物を除去する。
【００２７】
【発明の効果】
以上のように、本発明によれば、回転弁体の回転操作によって三方弁としての機能を発揮することができ、回転弁体の開口に設けたストレーナによって異物を捕集するストレーナ機能を発揮することができ、一台の弁装置によって三方弁の機能とストレーナ機能とを具現することができる。
【図面の簡単な説明】
【図１】本発明の実施の形態におけるストレーナ内蔵補修弁を示す断面図である。
【図２】同ストレーナ内蔵補修弁におけるストレーナ取り出し時の状態を示す断面図である。
【図３】本発明の他の実施の形態におけるストレーナ内蔵補修弁を示す断面図である。
【図４】同ストレーナ内蔵補修弁における流出開口部を閉栓する状態を示す断面図である。
【図５】同ストレーナ内蔵補修弁におけるストレーナ取り出し時の状態を示す断面図である。
【図６】従来の補修弁を示す断面図である。
【図７】同補修弁の排気状態を示す断面図である。
【図８】同補修弁における上部開口部を閉栓する状態を示す断面図である。
【図９】同補修弁における下部開口部を閉栓する状態を示す断面図である。
【図１０】従来の他の補修弁を示す断面図である。
【符号の説明】
１９　　空気弁
２０　　補修弁
２１　　管路
３０　　弁箱
３５　　回転弁体
３５ａ　閉栓部
３６　　弁箱シート
３７　　内部流路
４１　　弁棒
５１　　流入開口部
５２　　流出開口部
５３　　補助排出開口部
５４　　蓋
５５　　第１開口
５６　　第２開口
５７　　第３開口
５８　　ストレーナ
５９　　ボルト
６０　　メンテナンス開口部
６１　　バルブ
６２　　蓋
【図１】
2004092708.tif 000003
【図２】
2004092708.tif 000004
【図３】
2004092708.tif 000005
【図４】
2004092708.tif 000006
【図５】
2004092708.tif 000007
【図６】
2004092708.tif 000008
【図７】
2004092708.tif 000009
【図８】
2004092708.tif 000010
【図９】
2004092708.tif 000011
【図１０】
2004092708.tif 000012